(57)【特許請求の範囲】
【請求項１】
二つの連結部材を含む連結部から突出する二つの綴杆の端部の綴杆係止部で係止して形成された複数の環状の綴杆部が並列して連結されたリング綴具の前記綴杆係止部における係止を開放するためのリング綴具オープナーであって、
前記連結部から突出する前記二つの綴杆が開放されるように二つの綴杆を連結する前記二つの連結部材を互いにスライド移動させるとともに前記二つの連結部材を回転させる軸部を支持するための軸支持部、
前記連結部から突出する前記複数の環状の綴杆部同士の間に入り込むように、前記軸支持部の両側に沿って対向するように形成される複数の突出部、
前記軸支持部の両側に形成される前記突出部のうち少なくとも一つを前記軸支持部に沿ってスライド移動させるように、前記軸支持部の一方側に形成される前記突出部を設ける第１の基板と前記軸支持部の他方側に形成される前記突出部を設ける第２の基板とを含み、
前記第１の基板と前記第２の基板のうち少なくとも一つをスライド移動させることにより、前記軸部が前記軸支持部に支持された前記リング綴具の前記綴杆係止部が開放される向きに、前記軸支持部に沿って形成された前記突出部が前記綴杆を移動させる、リング綴具オープナー。
【請求項２】
前記第１の基板と前記第２の基板のうち少なくとも一つをスライド移動させたときに、前記リング綴具の前記係止部が開放される向きに前記綴杆が移動するとともに、前記軸部に沿って形成された前記綴杆が互いに開くように前記突出部に斜面が形成された、請求項１に記載のリング綴具オープナー。
【請求項３】
二つの連結部材を含む連結部から突出する二つの綴杆の端部の綴杆係止部で係止して形成された複数の環状の綴杆部が並列して連結されたリング綴具の前記綴杆係止部における係止を開放するためのリング綴具オープナーであって、
前記連結部から突出する前記二つの綴杆が開放されるように二つの綴杆を連結する前記二つの連結部材を互いにスライド移動させるとともに前記二つの連結部材を回転させる軸部を支持するための軸支持部、
前記連結部から突出する前記複数の環状の綴杆部同士の間に入り込むように前記軸支持部の両側に沿って対向するように形成される複数の突出部、
前記軸支持部の両側に形成される前記突出部のうち少なくとも一つを前記軸支持部に対して斜めにスライド移動させるように、前記軸支持部の一方側に形成される前記突出部を設ける第１の基板と前記軸支持部の他方側に形成される前記突出部を設ける第２の基板とを含み、
前記第１の基板と前記第２の基板のうち少なくとも一つを斜めにスライド移動させることにより、前記軸部が前記軸支持部に支持された前記リング綴具の前記綴杆係止部が開放されるとともに、前記軸部の両側の前記綴杆が互いに開くように形成された、リング綴具オープナー。
【請求項４】
前記第１の基板及び/又は第２の基板は、スライド移動した第１の基板又は第２の基板を移動した位置で停止させるための停止手段を備え、
前記停止手段は、前記第１の基板及び/又は第２の基板に形成された、係合凸部及び/又は係合凹部を有する係合部によって形成され、
前記第１の基板の突出部及び第２の基板の突出部は、リング綴具の開状態を停止手段によって維持されるように形成された、請求項１ないし請求項３のいずれかに記載のリング綴具オープナー。
【請求項５】
前記停止手段を構成する係合部は、第１の基板の主面と第２の基板の主面とが対向する領域において、
第１の基板及び／又は第２の基板をスライド移動するときに、係合凸部及び／又は係合凹部が係合するために、第１の基板及び／又は第２の基板の主面と交差する厚み方向又は第１の基板及び／又は第２の基板の主面の広がる幅方向に係合凸部及び係合凹部が動いて、移動した係合部凸部及び／又は係合凹部と係合する係合凹部及び／又は係合凸部と係合するように形成された、請求項４に記載のリング綴具オープナー。
【発明の詳細な説明】
【技術分野】
【０００１】
この発明は、リング綴具オープナーに関し、特にたとえば、端部に複数の孔が形成されたリーフを綴じるためのリングノート用のリング綴具を開くためのリング綴具オープナーに関する。
【背景技術】
【０００２】
図３７は、この発明の背景となるリングノート１の一例を示す図解図である。リングノート１は、端部に複数の孔が形成されたリーフを綴じるためのリング綴具２を含む。リング綴具２は、一列に並んで形成される複数のリング状の綴杆部３と、綴杆部３を等間隔で連結するための連結部４と、綴杆部３を構成する第１綴杆３ａ，第２綴杆３ｂを開閉するときの中心となる軸部５とを含む。そして、端部に複数の孔が形成されたリーフが綴杆部３によって綴じ込まれる。
【０００３】
リング綴具２は、図３８及び３９に示すように、二つの第１連結部４ａと第２連結部４ｂとからなる連結部４を含み、第１連結部４ａ及び第２連結部４ｂは、軸部５を中心として回動可能に構成されるとともに、多少は軸部５に沿ってスライド可能に構成される。第１連結部４ａ及び第２連結部４ｂからは、綴杆部３を構成する第１綴杆３ａ及び第２綴杆３ｂが突出するように形成される。ここで、軸部５を中心として第１連結部４ａと第２連結部４ｂとが回動可能に組み合わされたとき、第１連結部４ａ及び第２連結部４ｂから突出する第１綴杆３ａ及び第２綴杆３ｂが互いに対向するように形成される。
【０００４】
第１綴杆３ａ及び第２綴杆３ｂは、略半円状に形成され、その先端部に、互いに咬み合う第１綴杆係止部６ａ及び第２綴杆係止部６ｂが形成される。したがって、軸部５を中心として第１連結部４ａと第２連結部４ｂとを回転し、第１綴杆３ａと第２綴杆３ｂの先端部が当接された後に、第１綴杆係止部６ａと第２綴杆係止部６ｂとを咬み合わせることによって、リング状の綴杆部３が形成される。したがって、第１綴杆３ａ及び第２綴杆３ｂをリーフの孔に通し、第１綴杆係止部６ａと第２綴杆係止部６ｂとで第１綴杆３ａと第２綴杆３ｂとを組み合わせて綴杆部３を形成することにより、リーフが綴杆部３で綴じられたリングノート１が形成される。
【０００５】
軸部５の略中央部には、弾発部材７が嵌め込まれる。弾発部材７は、第１綴杆係止部６ａと第２綴杆係止部６ｂとが互いに開く向きに第１連結部４ａ及び第２連結部４ｂを
付勢するとともに、対向する第１綴杆３ａと第２綴杆３ｂとが綴杆部３を形成したときに、第１綴杆係止部６ａと第２綴杆係止部６ｂとが強く咬み合う向きに軸部５に沿って第１連結部４ａ及び第２連結部４ｂを付勢する。したがって、第１綴杆係止部６ａと第２綴杆係止部６ｂとが咬み合っているとき、第１綴杆３ａ及び第２綴杆３ｂは、リング状の綴杆部３を形成し、第１綴杆係止部６ａと第２綴杆係止部６ｂとが互いに開く向きに付勢力が働いても、綴杆部３が開放されることはない。
【０００６】
リング綴具２にリーフを綴じる場合、軸部５に沿って第１連結部４ａと第２連結部４ｂとをスライドさせることにより、第１綴杆係止部６ａと第２綴杆係止部６ｂとの咬み合わせが外れ、弾発部材７の付勢力により、第１綴杆３ａ及び第２綴杆３ｂを開くことができる。
しかしながら、多数の綴杆部３がある場合、軸部５の狭い範囲で第１綴杆係止部６ａと第２綴杆係止部６ｂとの咬み合わせを開放するような力を加えても、第１連結部４ａ及び第２連結部４ｂや第１綴杆３ａ及び第２綴杆３ｂが弾性を有するため、他の全ての綴杆部３において第１綴杆３ａと第２綴杆３ｂとが開くような力が働かない場合がある。そのため、少しの第１綴杆３ａ又は第２綴杆３ｂを摘んで綴杆部３を開こうとしても、全ての綴杆部３において第１綴杆３ａ，第２綴杆３ｂを開くことが難しい場合がある。
【０００７】
そこで、図３７に示すように、綴杆部３の両端に、それぞれ変位体８ａ及び８ｂが取り付けられる。変位体８ａ及び８ｂは、たとえば板体の端部に３〜４個の孔が形成されたものであり、リング綴具２の両端部において、綴杆部３に嵌め込まれる。
そして、リング綴具２の両端部において、第１綴杆係止部６ａと第２綴杆係止部６ｂとの咬み合わせが外れるように変位体８ａと変位体８ｂとを外側に向かって引っ張ることにより、弾発部材７の付勢力に抗して全ての第１綴杆係止部６ａと第２綴杆係止部６ｂとが外れる向きに力が加わる。
そして、第１綴杆係止部６ａと第２綴杆係止部６ｂとの咬み合わせが外れたところで、弾発部材７の付勢力により第１綴杆３ａ及び第２綴杆３ｂが開き、リーフを装着することができる状態となる。リング綴具２にリーフを装着した後、変位体８ａ及び８ｂが不要であれば、変位体８ａ及び８ｂを廃棄してもよい。ある程度の枚数のリーフがリング綴具２に綴じ込まれると、複数枚のリーフを持って軸部５に沿って第１綴杆３ａ及び第２綴杆３ｂに力を加えることにより、綴杆部３の第１綴杆係止部６ａと第２綴杆係止部６ｂとを外すことができる。
【先行技術文献】
【特許文献】
【０００８】
【特許文献１】特開２０１０−１２０３６９号公報
【発明の概要】
【発明が解決しようとする課題】
【０００９】
しかしながら、リング綴具を製造・販売する際に、リング綴具を開放してリーフを綴じ込むために、全てのリング綴具に変位体を取り付ける必要がある。リング綴具にリーフを綴じ込んだ後には、変位体は不要となる。なぜならば、綴じ込まれたリーフを引っ張ることにより、リング綴具を開放することができるからである。
そのため、不要となった変位体は、廃棄してもよいこととなる。
特に、複数のリング綴具をセットで販売する場合に、全てのリング綴具を解放することができるリング綴具オープナーがあれば、個々のリング綴具に変位体を取り付ける必要はなくなる。そこで、端部に孔が形成されたリーフを綴じ込むためのリング綴具を容易く開放ことができるオープナーを求められている。
【００１０】
それゆえに、この発明の主たる目的は、端部に孔が形成されたリーフを綴じ込むためのリング綴具を容易く開放することができるリング綴具オープナーを提供することである。
【課題を解決するための手段】
【００１１】
この発明は、二つの連結部材を含む連結部から突出する二つの綴杆の端部の係止部で係止して形成された複数のリング状の綴杆部が並んで形成されたリング綴具の前記係止部における係止を開放するためのリング綴具オープナーであって、連結部から突出する二つの綴杆が開放されるように二つの連結部材を互いにスライド移動させるとともに二つの連結部材を回転させる軸部を支持するための軸支持部と、連結部から突出する複数の環状の綴杆部同士の間に入り込むように軸支持部の両側に沿って対向するように形成される複数の突出部と、軸支持部の両側に形成される突出部のうちの少なくとも一つを軸支持部に沿ってスライド移動させるように、軸支持部の一方側に形成される突出部を設ける第１の基板と軸支持部の他方側に形成される突出部を設ける第２の基板とを含み、第１の基板と第２の基板とをスライド移動させることにより、軸部５が軸支持部に支持されたリング綴具の係止部が開放される向きに軸支持部の両側の突出部が綴杆を移動させる、リング綴具オープナーである。
リング綴具オープナーの軸支持部でリング綴具の軸部を支持し、第１の基板と第２の基板のうち少なくとも一つをスライド移動させることにより、軸支持部の両側の突出部が綴杆係止部を解放する向きに、綴杆を移動させる。これにより、二つの連結部から突出する綴杆の係止が開放される。
したがって、二つの連結部から突出する綴杆が互いに開く向きに付勢されていれば、自動的に綴杆が開いた状態となり、リーフを綴じることができる。
また、二つの連結部から突出する綴杆が互いに開く向きに付勢されていない場合であっても、綴杆の係止は開放されているため、指で簡単に綴杆が開いた状態のリング綴具を得ることができる。
【００１２】
このようなリング綴具オープナーにおいて、第１の基板と第２の基板のうち少なくとも二つがスライド移動したときに、リング綴具の綴杆係止部が開放される向きに綴杆が移動するとともに、軸部の両側の綴杵が互いに開くように突出部に斜面が形成されていることが好ましい。
突出部に斜面が形成され、この斜面に沿って綴杆が動くことにより綴杆係止部が開放された綴杆が互いに開くように形成されていれば、簡単に開いた状態のリング綴具を得ることができる。
【００１３】
また、この発明は、二つの連結部材を含む連結部から突出する二つの綴杆の端部の綴杆係止部で係止して形成された複数のリング状の綴杆部が並列して連結されたリング綴具の綴杆係止部における係止を開放するためのリング綴具オープナーであって、連結部から突出する二つの綴杆が開放されるように二つの連結部材を互いにスライド移動させるとともに二つの連結部材を回転させる軸部を支持するための軸支持部と、連結部から突出する複数の環状の綴杆部同士の間に入り込むように軸支持部の両側に沿って対向するように形成される複数の突出部と、軸支持部の両側に形成される突出部のうち少なくとも一つを軸支持部に対して斜めにスライド移動させるように、軸支持部の一方側に形成される突出部を設ける第１の基板と軸支持部の他方側に形成される突出部を設ける第２の基板とを含み、第１の基板と第２の基板のうち少なくとも一つを斜めにスライド移動させることにより、軸部が軸支持部に支持されたリング綴具の綴杆係止部が開放されるとともに、軸部の両側の綴杆が互いに開くように形成された、リング綴具オープナーである。
リング綴具オープナーの軸支持部でリング綴具の軸部を支持し、第１の基板と第２の基板のうち少なくとも一つを斜めにスライド移動させることにより、軸支持部の両側の突出部が綴杆係止部を解放する向きに綴杆を移動させるとともに、綴杆係止部が開放された綴杆が互いに開くように移動する。これにより、連結部から突出する二つの綴杆の係止が開放され、綴杆が開いた状態のリング綴具を得ることができる。
このようなリング綴具オープナーにおいて、前記第１の基板及び/又は第２の基板は、スライド移動した第１の基板又は第２の基板を移動した位置で停止させるための停止手段を備え、
前記停止手段は、前記第１の基板及び/又は第２の基板に形成された、係合凸部及び/又は係合凹部を有する係合部によって形成され、
前記第１の基板の突出部及び第２の基板の突出部は、リング綴具の開状態を停止手段によって維持されるように形成されていることが好ましい。
このようなリング綴具オープナーにおいて、前記停止手段を構成する係合部は、第１の基板の主面と第２の基板の主面とが対向する領域において、
第１の基板及び／又は第２の基板をスライド移動するときに、係合凸部及び／又は係合凹部が係合するために、第１の基板及び／又は第２の基板の主面と交差する厚み方向又は第１の基板及び／又は第２の基板の主面の広がる幅方向に係合凸部及び係合凹部が動いて、移動した係合部凸部及び／又は係合凹部と係合する係合凹部及び／又は係合凸部と係合するように形成されていることが好ましい。
【発明の効果】
【００１４】
この発明の請求項１の発明によれば、一つのリング綴具オープナーで、多数のリング綴具を容易く開放することができる。
この発明の請求項２の発明によれば、リング綴具の綴杆が突出部の斜面に沿って開く。
この発明の請求項３の発明によれば、一つのリング綴具オープナーで、多数のリング綴具を容易く開放することができる。
この発明の請求項４の発明によれば、停止手段によって第１の基板及び/又は第２の基板の移動が停止されて、リング綴具の開状態が維持される。
この発明の請求項５の発明によれば、停止手段を構成する係合部の係合によって、第１の基板及び/又は第２の基板の移動が停止され、リング綴具の開状態が維持される。
【００１５】
この発明の上述の目的、その他の目的、特徴および利点は、図面を参照して行う以下の発明を実施するための形態の説明から一層明らかとなろう。
【図面の簡単な説明】
【００１６】
【図１】本発明にかかる一実施の形態のリング綴具オープナーの斜視図解図である。
【図２Ａ】リング綴具オープナーの平面図解図である。
【図２Ｂ】リング綴具オープナーの底面図解図である。
【図３】この発明の一実施の形態であるリング綴具オープナーの正面図解図である。
【図４】この発明の一実施の形態であるリング綴具オープナーの側面図解図である。
【図５】図２ＡＩ−Ｉ断面図解図である。
【図６】図２ＡＩＩ−ＩＩ断面図解図である。
【図７】この発明にかかるリング綴具オープナーを分解した状態における断面図解図である。
【図８】この発明にかかるリング綴具オープナーを分解した状態における断面図解図である。
【図９Ａ】この発明にかかるリング綴具オープナーを開いた綴具の開き方を示す平面図解図である。
【図９Ｂ】この発明にかかるリング綴具オープナーを開いた綴具の開き方を示す平面図解図である。
【図９Ｃ】この発明にかかるリング綴具オープナーを開いた綴具の開き方を示す平面図解図である。
【図９Ｄ】この発明にかかるリング綴具オープナーを開いた綴具の開き方を示す平面図解図である。
【図１０Ａ】この発明にかかるリング綴具オープナーを開いた綴具の開き方を示す平面図解図である。
【図１０Ｂ】この発明にかかるリング綴具オープナーを開いた綴具の開き方を示す平面図解図である。
【図１０Ｃ】この発明にかかるリング綴具オープナーを開いた綴具の開き方を示す平面図解図である。
【図１０Ｄ】この発明にかかるリング綴具オープナーを開いた綴具の開き方を示す平面図解図である。
【図１０Ｅ】この発明にかかるリング綴具オープナーを開いた綴具の開き方を示す正面図解図である。
【図１１Ａ】この発明にかかる別の実施の形態であるリング綴具オープナーの平面図解図である。
【図１１Ｂ】この発明にかかる別の実施の形態であるリング綴具オープナーの底面図解図である。
【図１１Ｃ】この発明にかかる別の実施の形態であるリング綴具オープナーの断面図解図である。
【図１１Ｄ】図１１ＡＩＩＩ−ＩＩＩ断面図解図である。
【図１１Ｅ】図１１ＡＩＶ−ＩＶ断面図解図である。
【図１１Ｆ】この発明にかかるリング綴具オープナーを分解した状態における断面図解図である。
【図１１Ｇ】この発明にかかるリング綴具オープナーを分解した状態における断面図解図である。
【図１２Ａ】この発明にかかるリング綴具オープナーを開いた綴具の開き方を示す平面図解図である。
【図１２Ｂ】この発明にかかるリング綴具オープナーを開いた綴具の開き方を示す底面図解図である。
【図１２Ｃ】この発明にかかるリング綴具オープナーを開いた綴具の開き方を示す正面図解図である。
【図１３】この発明にかかる綴具を用いたノートの斜視図解図である。
【図１４】この発明にかかる綴具の斜視図解図であり、（Ａ）は全体の図で、（Ｂ）は部分的に拡大した図である。
【図１５】本発明にかかる一実施の形態のリング綴具オープナーの平面図解図である。
【図１６】リング綴具オープナーの利用方法を示す平面図解図である。
【図１７】リング綴具オープナーの背面図解図である。
【図１８】リング綴具オープナーの底面図解図である。
【図１９】この発明の一実施の形態であるリング綴具オープナーの第１基板の図解図であり、（Ａ）は平面図解図であり、（Ｂ）は側面図解図であり、（Ｃ）は正面図解図である。
【図２０】（Ａ）は、図１９Ｉ−Ｉ断面図解図であり、（Ｂ）は図１９ＩＩ−ＩＩ断面図解図である。
【図２１】（Ａ）は、図１９ｃ部拡大図であり、（Ｂ）は図２１（Ａ）ＩＩＩ−ＩＩＩ断面図解図である。
【図２２】この発明の一実施の形態であるリング綴具オープナーの第２基板の図解図であり、（Ａ）は底面図解図であり、（Ｂ）は側面図解図であり、（Ｃ）は正面図解図である。
【図２３】図２２ＩＶ−ＩＶ断面図解図である。
【図２４】突出部の図解図であり、（Ａ）は背面図解図であり、（Ｂ）は平面図解図であり、（Ｃ）は左側面図解図であり、（Ｄ）は右側面図解図であり、（Ｅ）はＶ−Ｖ断面図解図である。
【図２５】この発明の一実施の形態であるリング綴具オープナーの利用方法を示す平面図解図である。
【図２６】図２５の断面図解図であり、（Ａ）はＶＩ−ＶＩ拡大断面図解図であり、（Ｂ）はＶＩＩ−ＶＩＩ拡大断面図解図であり、図解図であり、（Ｃ）はＶＩＩＩ−ＶＩＩＩ拡大断面図解図である。
【図２７】この発明の一実施の形態であるリング綴具オープナーの底面図解図である。
【図２８】（Ａ）は図２７ＩＸ−ＩＸ拡大断面図解図である。（Ｂ）はＤ部拡大図解図である。
【図２９】この発明にかかるリング綴具オープナーの綴具の開き方を示す平面図解図である。
【図３０】この発明にかかるリング綴具オープナーの綴具の開き方を示す底面図解図である。
【図３１】図２９Ｘ−Ｘ断面図解図である。
【図３２】図２９ＸＩ−ＸＩ断面図解図である。
【図３３】この発明にかかるリング綴具オープナーの綴具の開き方を示す平面図解図である。
【図３４】この発明にかかるリング綴具オープナーの綴具に用紙を挿入する方法を示す平面図解図である。
【図３５】この発明にかかる別の実施の形態であるリング綴具オープナーの図解図であり、（Ａ）は、移動前の平面図解図であり、（Ｂ）は移動後の平面図解図である。
【図３６】図３５図示リング綴具オープナーの部分断面図解図である。
【図３７】この発明にかかるリング綴具オープナーの説明図である。
【図３８】従来の綴具のオープナーの説明図である。
【図３９】この発明にかかる綴具の斜視図解図であり、（Ａ）は全体の図で、（Ｂ）は部分的に拡大した図である。
【発明を実施するための形態】
【００１７】
この発明に係るリング綴じ具オープナー１０によって解放されるリング綴具２は、リングノート１における、端部に複数の孔が形成されたリーフを綴じるための綴具である。
リング綴具２は、一列に並んで形成される複数のリング状の綴杆部３と、綴杆部３を等間隔で連結するための連結部４と、綴杆部３を構成する第１綴杆３ａ及び第２綴杆３ｂを開閉するときの中心となる軸部５とを含む。そして、端部に複数の孔が形成されたリーフが綴杆部３によって綴じ込まれる。
リング綴具２は、図１４に示すように、二つの連結部材（第１連結部４ａ及び第２連
結部材４ｂ）からなる連結部４を含み、第１連結部４ａ及び第２連結部４ｂは、軸部５を中心として回動可能に構成されるとともに、軸部５に沿ってスライド可能に構成される。
第１連結部４ａ及び第２連結部４ｂからは、綴杆部３を構成する第１綴杆３ａ及び第２綴杆３ｂが突出するように形成される。
ここで、軸部５を中心として第１連結部４ａと第２連結部４ｂとが回動可能に組み合わされたとき、第１連結部４ａ及び第２連結部４ｂから突出する第１綴杆３ａ及び第２綴杆３ｂが互いに対向するように形成される。
第１綴杆３ａ及び第２綴杆３ｂは、略半円状に形成され、その先端部に、互いに咬み合う第１綴杆係止部６６ａ及び第２綴杆係止部６ｂが形成される。
したがって、軸部５を中心として第１連結部４ａ及び第２連結部４ｂを回転し、第１綴杆３ａと第２綴杆３ｂの先端部が当接された後に、第１綴杆係止部６ａと第２綴杆係止部６ｂとを咬み合わせることによって、リング状の綴杆部３が形成される。
したがって、第１綴杆３ａ及び第２綴杆３ｂをリーフの孔に通し、第１綴杆係止部６ａと第２綴杆係止部６ｂで第１綴杆３ａと第２綴杆３ｂを組み合わせて綴杆部３を形成することにより、リーフが綴杆部３で綴じられたリングノート１が形成される。
軸部５の略中央部には、弾発部材７が嵌め込まれる。弾発部材７は、第１綴杆係止部６ａと第２綴杆係止部６ｂとが互いに開く向きに第１連結部４ａ及び第２連結部４ｂを付勢するとともに、対向する第１綴杆３ａ及び第２綴杆３ｂが綴杆部３を形成したときに、第１綴杆係止部６ａ及び第２綴杆係止部６ｂが強く咬み合う向きに軸部５に沿って第１連結部４ａ及び第２連結部４ｂを付勢する。したがって、第１綴杆係止部６ａと第２綴杆係止部６ｂとが咬み合っているとき、第１綴杆３ａ及び第２綴杆３ｂは、リング状の綴杆部３を形成し、第１綴杆係止部６ａ及び第２綴杆係止部６ｂが互いに開く向きに付勢力が働いても、綴杆部３が開放されることはない。
リング綴具２にリーフを綴じる場合、軸部５に沿って第１連結部４ａと第２連結部４ｂとをスライドさせることにより、第１綴杆係止部６ａと第２綴杆係止部６ｂとの咬み合わせが外れ、弾発部材７の付勢力により、第１綴杆３ａ及び第２綴杆３ｂを開くことができる。
【００１８】
リング綴具オープナー１０は、リング綴具２の連結部４から突出する二つの第１綴杆３ａ及び第２綴杆３ｂの端部の第１綴杆係止部６ａ及び第２綴杆係止部６ｂで係止して形成された複数の環状の綴杆部３が並列して連結されたリング綴具２の前記綴杆係止部６（第１綴杆係止部６ａ及び第２綴杆係止部６ｂ）における係止を開放するものである。
【００１９】
リング綴具オープナー１０は、前記連結部４から突出する前記二つの第１綴杆３ａ及び第２綴杆３ｂが開放されるように、二つの第１綴杆３ａ及び第２綴杆３ｂを連結する前記連結部４を互いにスライド移動させるとともに前記連結部４を回転させる軸部５を支持するための軸支持部１２と、前記連結部４から突出する前記二つの第１綴杆３ａ及び第２綴杆３ｂの間に入り込むように、前記軸支持部１２の両側に沿って対向するように形成される複数の突出部１４と、前記軸支持部１２の両側に形成される前記突出部１４のうち少なくとも一つが前記軸支持部１２に沿ってスライド移動させることができる第１の基板１６と第２の基板１８とを含む。
【００２０】
前記第１の基板１６と前記第２の基板１８のうち少なくとも一つをスライド移動させることにより、前記軸部５が前記軸支持部１２に支持された前記リング綴具２の前記綴杆係止部６が開放される向きに、前記軸支持部１２に沿って形成された前記突出部１４が前記綴杆（第１綴杆３ａ及び第２綴杆３ｂ）を移動させる。
【００２１】
前記突出部１４は、前記第１の基板１６と前記第２の基板１８のうち少なくとも一つをスライド移動させたときに、前記リング綴具２の前記綴杆係止部６（６ａ及び６ｂ）が開放される向きに前記綴杆３（第１綴杆３ａ及び第２綴杆３ｂ）が移動するとともに、前記軸支持部１２に沿って形成された前記綴杆３（第１綴杆３ａ及び第２綴杆３ｂ）が互いに開くように、斜面２０が形成されている。
【００２２】
軸支持部１２は、第１の基板１６の上面に穿設された、断面略半円状の凹溝である。
軸支持部１２は、リング綴具２の軸部５を両面側から挟むことができるように、軸部５の長手方向に沿ってのびる長く繋がり続いた溝状である。
【００２３】
軸支持部１２の左右壁の間において、リング綴具２の軸部５を下方に向けてすなわち第１の基板１６の上面に向けて嵌挿したときに、リング綴具２を第１の基板１６に安定して載置することをできる。
【００２４】
突出部１４は、第１の基板１６の上面に突設された第１突出部３０と、第１の基板１６の上面にスライド自在に取り付けられた第２の基板１８の上面に突設された第２突出部４０とを備える。
第１突出部３０と第２突出部４０とは、リング綴具２の綴杆部３の並列される方向に並列され、綴杆部３の間隔に対応して、間欠的に形成されている。
【００２５】
第１突出部３０は、基部３２の上部に、斜面２０を備える傾斜部３４を一体成形されている。
傾斜部３４の勾配は、手前側に至るに従って、第２の基板１８のスライド方向において、スライド始め側より、スライド終わり側の方が高くなる。すなわち、第１突出部３０と第２突出部４０との間に載置されたリング綴具２の綴杆部３（第１綴杆３ａ）より遠ざかるに従って、第１突出部３０は、綴杆部３の開く方向における幅が狭くなる。第１突出部３０は、幅方向において、内側に至るに従って高くなる。
【００２６】
第２突出部４０は、基部４２の上部に、斜面２０を備える傾斜部４４を一体成形されている。
傾斜部４４の勾配は、手前側に至るに従って、第２の基板１８のスライド方向において、スライド始め側より、スライド終わり側の方が低くなる。すなわち、第１突出部３０と第２突出部４０との間に載置されたリング綴具２の綴杆部３（第２綴杆３ｂ）より遠ざかるに従って、第２突出部４０は綴杆部３の開く方向における幅が狭くなる。第１突出部３０は、幅方向において、内側に至るに従って低くなる。
【００２７】
第１突出部３０の基部３２は、リング綴具２の綴杆部３を構成する第１綴杆３ａの根元部すなわち連結部４側の領域の側面に当接するように、凹んでいる。
第２突出部４０の基部４２は、リング綴具２の綴杆部３を構成する第２綴杆３ｂの根元部すなわち連結部４側の領域の側面に当接するように、凹んでいる。
【００２８】
第１突出部３０と第２突出部４０とは、略々同じ高さを有し、第１突出部３０と第２突出部４０との間の間隔は、リング綴具２の第１綴杆３ａの内側縁と第２綴杆３ｂの内側縁との間の幅に近い長さを備える。
この実施の形態においては、第１突出部３０と第２突出部４０との間の間隔は、リング綴具２の第１綴杆３ａと第２綴杆３ｂとの間の最も広い幅を有する箇所の幅に近い長さを備える
【００２９】
第１の基板１６は、第２の基板１８をスライド移動自在に取り付けるための段差部５０を、軸支持部１２の側方に設けられている。第２の基板１８は、第１の基板１６の段差部５０の垂直壁５０ａに沿って、水平面５０ｂ上をスライドする。
段差部５０は、第２の基板１８をスライド移動自在に取り付けるためのスライド孔５２を穿設されている。
スライド孔５２は、第２の基板１８のスライド移動方向に長くのびて、第２の基板１８を案内するガイド孔である。
【００３０】
第１の基板１６は、第１突出部３０の外側、すなわち軸支持部１２とは反対側に、保持壁５６を形成されている。保持壁５６は、開放されたリング綴具２の第１綴杆３ａを保持する。
【００３１】
第２の基板１８は、第１の基板１６にスライド移動自在に取り付けるための摺動部６０を、下面に備える。
摺動部６０は、第１の基板１６に第２の基板１８をスライド移動自在に取り付けるための取付突起６２を突設されている。
取付突起６２は、段差部５０のスライド孔５２に、弾力的に保持されるように、差し込み弾力脚６２ａと弾力脚６２ｂとを備えている。取付突起６２は、弾力脚６２ａと弾力脚６２ｂとの間に形成された空間部を縮めるようにして、第２の基板１８のスライド孔５２に嵌め込まれた後、弾力脚６２ａと弾力脚６２ｂとは拡開して第２の基板１８のスライド孔５２に保持される。
【００３２】
第２の基板１８は、軸支持部１２側に、保持壁６６を形成されている。保持壁６６は、開放されたリング綴具２の第２綴杆３ｂを保持する。
【００３３】
第１の基板１６と第２の基板１８との間には、第２の基板１８をスライド始め側（向こう）に付勢する付勢部材たるコイルバネ７０が介装されている。
コイルバネ７０は、リング綴具２の綴杆部３を開いた後に、リング綴具２をリング綴具オープナー１０から円滑に取り出せるように、第２の基板１８を元の位置に戻す。
第２の基板１８は、摺動部６０の中央に、第２の基板１８をスライド移動させるために指を入れる指係止孔６８を穿設されている。
【００３４】
前記第１の綴杆係止部６ａ及び第２綴杆係止部６ｂは、係止する第１綴杆３ａ及び第２綴杆３ｂの回転方向と交差する方向に、すなわち連結部４の長さ方向に、第１綴杆３ａと第２綴杆３ｂとを相対移動して、第１綴杆３ａ及び第２綴杆３ｂの先端を合わせて閉鎖するときに係止し又は第１綴杆３ａ及び第２綴杆３ｂの先端を離間させるときに脱係するように形成されている。
第１綴杆３ａは、閉じたときに略円環状の綴杆となるように、半円弧状の半割杆から構成され、第２綴杆３ｂは、閉じたときに略円環状の綴杆となるように、半円弧状の半割杆から構成され、第１綴杆３ａと第２綴杆３ｂとは対向するように構成されている。
綴杆部３を閉じるときにおいては、第１綴杆３ａの第１綴杆係止部６ａと第２綴杆３ｂの第２綴杆係止部６ｂとを係合させて、略円環状となるように構成されている。
【００３５】
そして、綴杆部３を開くときにおいては、第１綴杆３ａと第２綴杆３ｂとは、第１綴杆３ａ及び第２綴杆３ｂに嵌挿されたリング綴じ具オープナー１０の突出部１４を連結部４の長さ方向において第１綴杆の綴杆係止部６ａと第２綴杆の綴杆係止部６ｂとが外れる方向、すなわちリング綴具２の第２綴杆３ｂをリング綴じ具オープナー１０の第２突出部４０で手前側に向けて引っ張ることにより、係止された第１綴杆３ａの第１綴杆係止部６ａと第２綴杆３ｂの第２綴杆係止部６ｂとを外すことができるように構成されている。
【００３６】
１０の突出部１４の斜面２０は、第１突出部３０と第２突出部４０とにおいて逆向きに傾斜している。
第１突出部３０は、第１綴杆３ａに接合して移動しない。
一方、第２突出部４０は、傾斜部４４が第２綴杆３ｂに接合して第２綴杆３ｂを手前側に押すことにより、傾斜部４４の勾配により徐々に第２綴杆係止部３ｂを連結部４の長手方向に移動させ、第１綴杆係止部６ａと第２綴杆係止部６ｂとの係合が係脱した後に、第２綴杆３ｂを外方（リング綴具オープナー１０及びリング綴具２の幅方向）に向けて回転させて綴杆部３を開ける。
【００３７】
この発明にかかるリング綴具オープナー１０は、前記実施の形態に限らず、この発明の思想に基づいて変更可能である。
図１１に示すリング綴具オープナー１１０は、連結部４から突出する二つの綴杆（第１綴杆３ａ及び第２綴杆３ｂ）の端部の綴杆係止部６で係止して形成された複数の環状の綴杆部３が並列して連結されたリング綴具２の前記綴杆係止部６における係止を開放するためのものである。
【００３８】
リング綴具オープナー１１０は、前記連結部４から突出する前記２つの綴杆（第１綴杆３ａ及び第２綴杆３ｂ）が開放されるように二つの綴杆（第１綴杆３ａ及び第２綴杆３ｂ）を連結する前記連結部４を互いにスライド移動させるとともに前記連結部４を回転させる軸部５を支持するための軸支持部１１２と、前記連結部４から突出する前記二つの綴杆（第１綴杆３ａ及び第２綴杆３ｂ）の間に入り込むように前記軸支持部１１２の両側に沿って対向するように形成される複数の突出部１１４と、前記軸支持部１１２の両側に形成される前記突出部１１４のうち少なくとも一つを前記軸支持部１１２に対して斜めにスライド移動させることができる第１の基板１１６と第２の基板１１８とを含む。
【００３９】
リング綴具オープナー１１０は、前記第１の基板１１６と前記第２の基板１１８のうち少なくとも一つを斜めにスライド移動させることにより、前記軸部５が前記軸支持部１１２に支持された前記リング綴具２の前記綴杆係止部６（第１綴杆係止部６ａ及び第２綴杆係止部６ｂ）が開放されるとともに、前記軸支持部１１２の両側の前記綴杆（第１綴杆３ａ及び第２綴杆３ｂ）が互いに開くように形成されている。
【００４０】
前記第１の基板１１６と前記第２の基板１１８のうち少なくとも一つをスライド移動させることにより、前記軸部５が前記軸支持部１１２に支持された前記リング綴具２の前記綴杆係止部６が開放される向きに、前記軸支持部１１２に沿って形成された前記突出部１１４が前記綴杆（第１綴杆３ａ及び第２綴杆３ｂ）を移動させる。
【００４１】
前記突出部１１４は、前記第１の基板１１６と前記第２の基板１１８のうち少なくとも一つをスライド移動させたときに、前記リング綴具２の前記綴杆係止部６（６ａ及び６ｂ）が開放される向きに前記綴杆３（第１綴杆３ａ及び第２綴杆３ｂ）が移動するとともに、前記軸支持部１１２に沿って形成された前記綴杆３（第１綴杆３ａ及び第２綴杆３ｂ）が互いに開くように形成されている。
【００４２】
軸支持部１１２は、第１の基板１１６の上面に穿設された、断面略半円状の凹溝である。
軸支持部１１２は、リング綴具２の軸部５を両面側から挟むことができるように、軸部５の長手方向に沿ってのびる長く繋がり続いた溝状である。
【００４３】
軸支持部１１２の左右壁の間において、リング綴具２の軸部５を下方に向けてすなわち第１の基板１１６の上面に向けて嵌挿したときに、リング綴具２を第１の基板１１６に安定して載置することをできる。
【００４４】
突出部１１４は、第１の基板１１６の上面に突設された第１突出部１３０と、第１の基板１１６の上面にスライド自在に取り付けられた第２の基板１１８の上面に突設された第２突出部１４０とを備える。
第１突出部１３０と第２突出部１４０とは、リング綴具２の綴杆部３の並列される方向に並列され、綴杆部３の間隔に対応して、間欠的に形成されている。
【００４５】
第１突出部１３０の基部１３２は、リング綴具２の綴杆部３を構成する第１綴杆３ａの根元部すなわち連結部４側の領域の側面に当接するように、凹んでいる。
第２突出部１４０の基部１４２は、リング綴具２の綴杆部３を構成する第２綴杆３ｂの根元部すなわち連結部４側の領域の側面に当接するように、凹んでいる。
【００４６】
第１突出部１３０と第２突出部１４０とは、略々同じ長さを有し、第１突出部１３０と第２突出部１４０との間の間隔は、リング綴具２の第１綴杆３ａの内側縁と第２綴杆３ｂの内側縁との間の幅に近い長さを備える。
この実施の形態においては、第１突出部１３０と第２突出部１４０との間の間隔は、リング綴具２の第１綴杆３ａと第２綴杆３ｂとの間の最も広い幅を有する箇所の幅に近い長さを備える
【００４７】
第１の基板１１６は、第２の基板１１８をスライド移動自在に取り付けるための段差部１５０を、軸支持部１２の側方に設けられている。第２の基板１１８は、第１の基板１１６の段差部１５０の垂直壁１５０ａに沿って、水平面１５０ｂ上をスライドする。
【００４８】
第２の基板１１８は、第１の基板１１６にスライド移動自在に取り付けるための摺動部１６０を、下面に備える。
摺動部１６０は、第１の基板１１６に第２の基板１１８をスライド移動自在に取り付けるための取付突起１６２を突設されている。
取付突起１６２は、段差部１５０の解離穴１５２及び開放穴１５４に、弾力的に保持されるように、差し込み弾力脚１６２ａと弾力脚１６２ｂとを備えている。取付突起１６２は、弾力脚１６２ａと弾力脚１６２ｂとの間に形成された空間部を縮めるようにして、第２の基板１１８の解離穴１５２及び開放穴１５４に嵌め込まれた後、弾力脚１６２ａと弾力脚１６２ｂとは拡開して第２の基板１１８のスライド孔５２に保持される。
【００４９】
第１の基板１１６と第２の基板１１８との間には、第２の基板１１８をスライド始め側（向こう）に付勢する付勢部材たるコイルバネ１７０が介装されている。
コイルバネ１７０は、リング綴具２の綴杆部３を開いた後に、リング綴具２をリング綴具オープナー１１０から円滑に取り出せるように、第２の基板１１８を元の位置に戻す。
【００５０】
第２の基板１１８は、第２の基板１１８を第１の基板１１６に取り付けるために、第２の基板１１８の摺動部１６０に取付突起１６２が突設されている。
第１の基板１１６は、その段差部１５０に解離穴１５２が穿設され、且つ、解離穴１５２に続く開放穴１５４を穿設されている。
取付突起１６２が、第１の基板１１６の段差部１５０に穿設された、解離穴１５２及び解離穴１５２に続く開放穴１５４に嵌め込まれて、第２の基板１１８は第１の基板１１６に移動自在に取り付けられる。
解離穴１５２は、リング綴具２の軸部５のスライド方向に沿ってのびており、開放穴１５４は、リング綴具２の綴杆部３の解放方向にのびている。
解離穴１５２と、開放穴１５４とは、略Ｌ字型に連結されており、第２の基板１１８を第１綴杆３ａ及び第２綴杆３ｂを開放する方向に案内するガイド孔である。
【００５１】
前記第１の綴杆係止部６ａ及び第２綴杆係止部６ｂは、係止する第１綴杆３ａ及び第２綴杆３ｂの回転方向と交差する方向に、すなわち連結部４の長さ方向に、第１綴杆３ａと第２綴杆３ｂとを相対移動して、第１綴杆３ａ及び第２綴杆３ｂの先端を合わせて閉鎖するときに係止し又は第１綴杆３ａ及び第２綴杆３ｂの先端を離間させるときに脱係するように形成されている。
第１綴杆３ａは、閉じたときに略円環状の綴杆となるように、半円弧状の半割杆から構成され、第２綴杆３ｂは、閉じたときに略円環状の綴杆となるように、半円弧状の半割杆から構成され、第１綴杆３ａと第２綴杆３ｂとは対向するように構成されている。
綴杆部３を閉じるときにおいては、第１綴杆３ａの第１綴杆係止部６ａと第２綴杆３ｂの第２綴杆係止部６ｂとを係合させて、略円環状となるように構成されている。
【００５２】
そして、綴杆部３を開くときにおいては、第１綴杆３ａと第２綴杆３ｂとは、第１綴杆３ａ及び第２綴杆３ｂに嵌挿された、リング綴具オープナー１１０の突出部１１４を連結部４の長さ方向において第１綴杆の綴杆係止部６ａと第２綴杆の綴杆係止部６ｂとが外れる方向、すなわちリング綴具２の第２綴杆３ｂをリング綴じ具オープナー１１０の第２突出部１４０で手前側に向けて引っ張ることにより、係止された第１綴杆３ａの第１綴杆係止部６ａと第２綴杆３ｂの第２綴杆係止部６ｂとを外すことができるように構成されている。
【００５３】
第１突出部１３０は、第１綴杆３ａに接合して移動しない。
一方、第２突出部１４０は、第２綴杆３ｂに接合して第２綴杆３ｂを手前側に押すことにより、第２の基盤１１８は開放穴１５２に沿って移動することにより徐々に第２綴杆係止部３ｂを連結部４の長手方向に移動させ、第１綴杆係止部６ａと第２綴杆係止部６ｂとの係合が係脱した後に、第２の基盤１１８は、開放穴１５４に沿って移動することにより、第２綴杆３ｂを外方（リング綴具オープナー１０及びリング綴具２の幅方向）に向けて回転させて綴杆部３を開ける。
【００５４】
次に、前記図１図示リング綴具オープナー１０とは別の実施の形態である、リング綴具オープナー３１０について、主として図１５ないし図３４に基づいて説明する。
このリング綴具オープナー３１０は、リング綴具オープナー３１０に装？された状態で、リング綴具オープナー３１０によって開けられたリング綴具２の綴杆部３に、例えば、４０〜１００枚のリーフ（用紙）を綴じることをできることに特徴がある。
すなわち、リング綴具オープナー３１０に装？されたリング綴具２の第１綴杆３ａと第２綴杆３ｂとを開いた状態で、リーフ（用紙）の綴じ孔に第１綴杆３ａ又は第２綴杆３ｂを貫挿することができる。
【００５５】
リング綴具オープナー３１０は、図１４に示す、リング綴具２の連結部４から突出する二つの第１綴杆３ａ及び第２綴杆３ｂの端部の第１綴杆係止部６ａ及び第２綴杆係止部６ｂで係止して形成された複数の環状の綴杆部３が並列して連結されたリング綴具２の前記綴杆係止部６（第１綴杆係止部６ａ及び第２綴杆係止部６ｂ）における係止を開放するものである。
【００５６】
リング綴具２は、一列に並んで形成される複数のリング状の綴杆部３と、綴杆部３を等間隔で連結するための連結部４と、綴杆部３を構成する第１綴杆３ａ，第２綴杆３ｂを開閉するときの中心となる軸部５とを含む。そして、端部に複数の孔が形成されたリーフが綴杆部３によって綴じ込まれる。
リング綴具２は、図１３及び１４に示すように、二つの第１連結部４ａと第２連結部４ｂとからなる連結部４を含み、第１連結部４ａ及び第２連結部４ｂは、軸部５を中心として回動可能に構成されるとともに、多少は軸部５に沿ってスライド可能に構成される。第１連結部４ａ及び第２連結部４ｂからは、綴杆部３を構成する第１綴杆３ａ及び第２綴杆３ｂが突出するように形成される。ここで、軸部５を中心として第１連結部４ａと第２連結部４ｂとが回動可能に組み合わされたとき、第１連結部４ａ及び第２連結部４ｂから突出する第１綴杆３ａ及び第２綴杆３ｂが互いに対向するように形成される。
【００５７】
前記軸部５は、前記連結部４（第１連結部４ａ及び第２連結部４ｂ）の長手方向にのびて一対の連結部４（第１連結部４ａ及び第２連結部４ｂと）を連結する。
軸部５は、第１連結部４ａに連設された第１軸部５ａと第２連結部４ｂに連設された第２軸部５ｂとを備える。
【００５８】
リング綴具オープナー３１０は、前記連結部４から突出する前記二つの第１綴杆３ａ及び第２綴杆３ｂが開放されるように、二つの第１綴杆３ａ及び第２綴杆３ｂを連結する前記連結部４を互いにスライド移動させるとともに前記連結部４を回転させる軸部５を支持するための軸支持部３１２と、前記連結部４から突出する前記二つの第１綴杆３ａ及び第２綴杆３ｂの間に入り込むように、前記軸支持部３１２の両側に沿って対向するように形成される複数の突出部３１４と、前記軸支持部３１２の両側に形成される前記突出部３１４のうち少なくとも一つが前記軸支持部３１２に沿ってスライド移動させることができる第１の基板３１６と第２の基板３１８とを含む。
【００５９】
前記第１の基板３１６と前記第２の基板３１８のうち少なくとも一つを相対的にスライド移動させることにより、前記軸部５が前記軸支持部３１２に支持された前記リング綴具２の前記綴杆係止部６が開放される向きに、前記軸支持部３１２に沿って形成された前記突出部３１４が前記綴杆（第１綴杆３ａ及び第２綴杆３ｂ）を移動させる。
【００６０】
前記突出部３１４は、前記第１の基板３１６と前記第２の基板３１８のうち少なくとも一つをスライド移動させたときに、前記リング綴具２の前記綴杆係止部６（６ａ及び６ｂ）が開放される向きに前記綴杆３（第１綴杆３ａ及び第２綴杆３ｂ）が軸部５の長手方向に移動するとともに、前記軸支持部３１２に沿って形成された前記綴杆３（第１綴杆３ａ及び第２綴杆３ｂ）が綴杆部３の幅方向に互いに開くように、斜面３２０が形成されている。
【００６１】
軸支持部３１２は、第１の基板３１６の上面に穿設された、断面略円弧状の凹溝と第２の基板３１８の上面に穿設された、断面略円弧状の凹溝とを合わせることによって形成された、断面略半円状の凹溝である。
軸支持部３１２は、リング綴具２の軸部５を両面側から挟むことができるように、軸部５の長手方向に沿ってのびる長く繋がり続いた溝状である。
【００６２】
軸支持部３１２の左右壁の間において、リング綴具２の軸部５を下方に向けてすなわち第１の基板３１６の上面に向けて嵌挿したときに、リング綴具２を第１の基板３１６及び第２の基板３１８に安定して載置することをできる。
【００６３】
突出部３１４は、第１の基板３１６の上面に突設された第１突出部３３０と、第１の基板３１６の上面にスライド自在に取り付けられた第２の基板３１８の上面に突設された第２突出部３４０とを備える。
第１突出部３３０と第２突出部３４０とは、リング綴具２の綴杆部３の並列される方向に並列され、綴杆部３の間隔に対応して、間欠的に形成されている。
第１突出部３３０は、一直線上に適宜な間隔をおいて並列されている。第２突出部３４０は、一直線上に適宜な間隔をおいて並列されている。
第１突出部３３０と第２突出部３４０とは、平行に、並列されている。
【００６４】
第１突出部３３０は、基部３３２の上部に、斜面３２０を備える傾斜部３３４を一体成形されている。
傾斜部３３４の勾配は、第２の基板３１８のスライド方向において、スライド始め側より、スライド終わり側の方が高くなる。すなわち、第１突出部３３０は、第１突出部３３０と第２突出部３４０との間に載置されたリング綴具２の綴杆部３（第１綴杆３ａ）より遠ざかるに従って、綴杆部３の開く方向における幅が狭くなり、内側すなわち軸支持部３１２に向かうに従って高くなる。
傾斜部３３４の勾配は、図１図示実施の形態と同様な構成であるが、図１図示実施の形態の傾斜部３３４の勾配の傾きにより穏やかな傾きであり、変化率は小さい。
傾斜部３３４の長さは、図１図示実施の形態の傾斜部３４の長さより長く、第１綴杆３ａと第２綴杆３ｂとをより広く開くことができる。
【００６５】
第２突出部３４０は、基部３４２の上部に、斜面３２０を備える傾斜部３４４を一体成形されている。
傾斜部３４４の勾配は、第２の基板３１８のスライド方向において、スライド始め側より、スライド終わり側の方が低くなる。すなわち、第１突出部３３０と第２突出部３４０との間に載置されたリング綴具２の綴杆部３（第２綴杆３ｂ）より遠ざかるに従って、第２突出部３４０は、綴杆部３の開く方向における幅が狭くなり、内側すなわち軸支持部３１２に向かうに従って低くなる。
傾斜部３４４の勾配は、図１図示実施の形態と同様な構成であるが、図１図示実施の形態の傾斜部３４４の勾配の傾きにより穏やかな傾きであり、変化率は小さい。
傾斜部３４４の長さは、図１図示実施の形態の傾斜部３４の長さより長く、第１綴杆３ａと第２綴杆３ｂとをより広く開くことができる。
【００６６】
第１突出部３３０と第２突出部３４０とは、軸支持部３１２を挟んで逆向きに形成され、点対称である。
すなわち、第１突出部３３０の傾斜部３３４は、第２の基板３１８のスライド方向において、スライド始め側の手前側に位置しており、第２突出部３４０の傾斜部３４４は、第２の基板３１８のスライド方向において、スライドの終わり側の向こう側に位置している。
第１突出部３３０の傾斜部３３４の勾配は、傾斜部３３４が形成された頭部３３６の反対側の面すなわち向こう側の面を基準としたときに、第２突出部３４０に向かうに従って（軸支持部３１２に向かうに従って）、高くなる。
第２突出部３４０の傾斜部３３４の勾配は、傾斜部３４４が形成された頭部３４６の反対側の面すなわち手前側の面を基準としたときに、第１突出部３３０に向かうに従って（軸支持部３１２に向かうに従って）、高くなる。
【００６７】
第１突出部３３０の傾斜部３３４は、第２の基板３１８をスライド移動させたとき、第２綴杆３ｂに最初に当たる部位の方が、頭部３３６の反対側を基準面とした勾配が高くなる。
第２突出部３４０の傾斜部３４４は、第２の基板３１８をスライド移動させたとき、第１綴杆３ａに最初に当たる部位の方が、頭部３４６の反対側を基準面とした勾配が高くなる。
【００６８】
第１突出部３３０の基部３３２は、リング綴具２の綴杆部３を構成する第１綴杆３ａの根元部すなわち連結部４の領域の側面に当接するように、凹んでいる。
第２突出部３４０の基部３４２は、リング綴具２の綴杆部３を構成する第２綴杆３ｂの根元部すなわち連結部４の領域の側面に当接するように、凹んでいる。
【００６９】
第１突出部３３０と第２突出部３４０とは、略々同じ高さを有し、第１突出部３３０と第２突出部３４０との間の間隔は、リング綴具２の第１綴杆３ａの内側縁と第２綴杆３ｂの内側縁との間の幅に近い長さを備える。
この実施の形態においては、第１突出部３３０と第２突出部３４０との間の間隔は、リング綴具２の第１綴杆３ａと第２綴杆３ｂとの間の最も広い幅を有する箇所の幅に近い長さを備える
【００７０】
第１の基板３１６は、第２の基板３１８をスライド移動自在に取り付けるための段差部３５０を、軸支持部３１２の側方に設けられている。段差部３５０は、第１突出部３３０の並列する方向と平行に、第１の基板３１６の長手方向にのびる。第２の基板３１８は、第１の基板３１６の段差部３５０の垂直壁３５０ａに沿って、水平面３５０ｂ上を、第１突出部３３０の並列する方向にスライドする。
段差部３５０は、第２の基板３１８をスライド移動自在に取り付けるためのスライド孔３５２を穿設されている。
スライド孔３５２は、第２の基板３１８のスライド移動方向に長くのびて、第２の基板３１８を案内するガイド孔である。
段差部３５０は、第２の基板３１８を長手方向に沿ってスライド移動するときに第２の基板３１８を案内する案内凸条３５４が、第１の基板３１６の長手方向にのびている。
案内凸条３５４は、スライド孔３５２の左の開口縁と右の開口縁とに分かれて突設されて、向き合っている第１案内凸条３５４ａと第２案内凸条３５４ｂとを備える。
更に、案内凸条３５４は、第１の基板３１６の垂直壁３５０ａとは反対側の端縁に突設された第３案内凸条３５４ｃを備える。
スライド孔３５２は、第１の基板３１６の幅方向において、左右に分かれて一対形成されている。又、スライド孔３５２は、第１の基板３１６の長手方向において、第１突出部３３０の並列する方向と平行に適宜な間隔をおいて一直線上に並列されている。
【００７１】
第２の基板３１８は、第１の基板３１６にスライド移動自在に取り付けるための摺動部３６０を、下面に備える。
摺動部３６０は、第１の基板３１６に第２の基板３１８をスライド移動自在に取り付けるための取付突起３６２を突設されている。  取付突起３６２は、段差部３５０のスライド孔３５２に、弾力的に保持されるように、差し込み弾力脚３６２ａと弾力脚３６２ｂとを備えている。取付突起３６２は、弾力脚３６２ａと弾力脚３６２ｂとの間に形成された空間部を縮めるようにして、第２の基板３１８のスライド孔３５２に嵌め込まれた後、弾力脚３６２ａと弾力脚３６２ｂとは拡開して第２の基板３１８のスライド孔３５２に保持される。
【００７２】
摺動部３６０は、第２の基板３１８を長手方向に沿って第２突出部３４０の並列する方向と平行にスライド移動するときに第２の基板３１８を案内する案内凸条３６４が、第１の基板３１６の長手方向にのびている。
案内凸条３６４は、第２の基板３１８のスライド孔３５２にスライド移動自在に保持された弾力脚３６２ａ及び弾力脚３６２ｂによって構成されている。
また、案内凸条３６４は、第１案内凸条３６４ａを備えている。第１案内凸条３６４ａは、第２の基板３１８の第２突出部３４０の並列する方向と平行にのびている。
更に、案内凸条３６４は、第１の基板３１６の段差部３５０に対向する第１案内凸条３６４ａとは反対側の端縁に、第２案内凸条３６４ｂを備えている。第２案内凸条３６４ｂは、第２の基板３１８の第２突出部３４０の並列する方向と平行にのびている。
第１案内凸条３６４ａは、第１の基板３１６の段差部３５０と接し合い、第１の基板３１６の第１突出部３３０及び第２の基板３１８の第２突出部３４０の並列する方向に摺動する。
第２案内凸条３６４ｂは、第１の基板３１６の段差部３５０とは反対側の端縁に係合して、第１の基板３１６の第１突出部３３０及び第２の基板３１８の第２突出部３４０の並列する方向に摺動する。
【００７３】
第１の基板３１６は、スライド移動した第２の基板３１８を移動した位置で停止させるための停止手段３８０を備える。停止手段３８０は、第１の基板３１６のベース部の主面と第２の基板３１８のベース部の主面とが対向する領域に、形成されている。
第２の基板３１８は、スライド移動した第２の基板３１８を移動した位置で停止させるための停止手段３９０を備える。停止手段３９０は、第１の基板３１６のベース部の主面と第２の基板３１８のベース部の主面とが対向する領域に、形成されている。
【００７４】
停止手段３８０及び停止手段３９０は、突出部３１４が、リング綴具２の第１綴杆３ａ及び第２綴杆３ｂの開状態を維持されるように形成されている。
第２の基板３１８は、その表面に形成された第２突出部３４０が第２綴杆３ｂと係合して、第１綴杆３ａ及び第２綴杆３ｂの開状態を維持するように、停止手段３８０及び停止手段３９０によって停止させられる。
【００７５】
第１の基板３１６は、綴杆部３を開くときに手前側に向いて移動する第２の基板３１８の移動方向とは反対方向に向いて突出された、停止手段３８０を構成する係合部３８０ａを備える。
係合部３８０ａは、第２の基板３１８が取り付けられるベース部であって、第２の基板３１８と対向する領域に形成されている。
係合部３８０ａは、第１の基板３１６との接続点を中心に上下方向に撓む弾力性を有し、第２の基板３１８の停止手段３９０と係合したり係脱したりするように構成されている。
【００７６】
係合部３８０ａは、その自由端に、係合凸部３８４を上向きに突設されている。
係合部３８０ａは、第１の基板３１６との接続点とその自由端との間において、押釦３８６を上向きに突設されている。
【００７７】
係合部３８０ａは、第２の基板３１８のスライド移動方向にのびる、長手方向を有する突出片であり、第１の基板３１６に接続された根本部３８８と、根本部３８８の自由端側に形成された自由端部３８２とを備える。根本部３８８は、第１の基板３１６の水平面３５０ｂを有するベース部分からのびた帯状体である。
第１の基板３１６に接続された根本部３８８は、その自由端側に断面Ｕ字型に上方に向けて屈曲された押釦３８６を形成され、押釦３８６に続いて根本部３８８と同じ高さ位置で突設された自由端部３８２に係合凸部３８４を形成されている。
【００７８】
係合部３８０ａは、第２の基板３１８と第１の基板３１６との間の空間において、第１の基板３１６及び第２の基板３１８の長手方向にのびている。
第１の基板３１６は、水平面３５０ｂを有するベース部分に、係合部３８０ａの可動域を確保するための間隙部３５０ｃを形成されている。
係合部３８０ａは、第１の基板３１６のベース部の主面及び第２の基板３１８のベース部の主面と交差する厚み方向に動く。
【００７９】
第２の基板３１８の停止手段３９０は、第２の基板３１８の裏面側に停止手段３８０の係合凸部３８４を係合するための係合部３９０ａを構成する係合凹部３９４を上方に向けて凹設されている。
係合部３９０ａは、第１の基板３１６に取り付けられるベース部であって第１の基板３１６と対向する領域に形成されている。
第２の基板３１８の停止手段３９０は、前記停止手段３８０の押釦３８６を収容するた
めの開口部３９６を有している。
【００８０】
第１の基板３１６と第２の基板３１８とを相対移動する前（すなわち、第１突出部３３０と第２突出部３４０とが同じ位置で並列している状態）は、停止手段３８０の係合凸部３８４が、停止手段３９０の係合凹部３９４と係合している。
第２の基板３１８をスライド移動したとき、停止手段３８０の係合凸部３８４が停止手段３９０の係合凹部３９４の手前側の傾斜壁面を乗り越えて開口部３９６に至る。すなわち、係合部３８０ａの自由端部３８２は、第１の基板３１６のベース部の主面及び第２の基板３１８のベース部の主面と交差する厚み方向に動く。
第２の基板３１８を移動させた後、第２の基板３１８から手を離せば、停止手段３８０の作用により第２の基板３１８を逆方向すなわち向こう側に戻り、停止手段３８０の係合凸部３８４の先端が停止手段３９０の開口部３９６の向こう側端に当接して、第２の基板３１８は停止する。
而して、第１突出部３３０と第２突出部３４０とはずれた位置で停止し、リングノート１のリング綴具２は、開いた状態を維持する。
押釦３８６を押すと、停止していた第２の基板３１８は、停止手段３８０の作用より、元の位置、すなわち、停止手段３８０の係合凸部３８４が停止手段３９０の係合凹部３９４に係合する位置に戻る。
【００８１】
第１の基板３１６と第２の基板３１８との間には、第２の基板３１８をスライド始め側（向こう）に付勢する付勢部材たるコイルバネ３７０が介装されている。コイルバネ３７０はその一端（手前側端）が第２の基板３１８の裏面側に形成されたバネ移動支持部３７２に固定され、その他端（向こう側端）が第１の基板３１６に形成されたバネ固定部３７４に固定されている。
コイルバネ３７０は、リング綴具２の綴杆部３を開いた後に、リング綴具２をリング綴具オープナー３１０から円滑に取り出せるように、第２の基板３１８を元の位置に戻す。
【００８２】
第２の基板３１８は、摺動部３６０の中央に、第２の基板３１８をスライド移動させるために指を入れる指係止孔３６８を穿設されている。
第１の基板３１６は、第２の基板３１８の指係止孔３６８に対応した位置において形成された指係止孔３６８の手前側において、手前側端縁に指引っ掛け凹部３６９を凹設されている。
第２の基板３１８の指係止孔３６８は、指係止孔３６８の手前側において、手前側端縁に指係止凹部３６８ａを凹設されている。
【００８３】
前記第１の綴杆係止部６ａ及び第２綴杆係止部６ｂは、係止する第１綴杆３ａ及び第２綴杆３ｂの回転方向と交差する方向に、すなわち連結部４の長さ方向に、第１綴杆３ａと第２綴杆３ｂとを相対移動して、第１綴杆３ａ及び第２綴杆３ｂの先端を合わせて閉鎖するときに係止し又は第１綴杆３ａ及び第２綴杆３ｂの先端を離間させるときに脱係するように形成されている。
第１綴杆３ａは、閉じたときに略円環状の綴杆となるように、半円弧状の半割杆から構成され、第２綴杆３ｂは、閉じたときに略円環状の綴杆となるように、半円弧状の半割杆から構成され、第１綴杆３ａと第２綴杆３ｂとは対向するように構成されている。
綴杆部３を閉じるときにおいては、第１綴杆３ａの第１綴杆係止部６ａと第２綴杆３ｂの第２綴杆係止部６ｂとを係合させて、略円環状となるように構成されている。
【００８４】
そして、綴杆部３を開くときにおいては、第１綴杆３ａと第２綴杆３ｂとは、第１綴杆３ａ及び第２綴杆３ｂに嵌挿されたリング綴具オープナー３１０の突出部３１４を連結部４の長さ方向において第１綴杆の綴杆係止部６ａと第２綴杆の綴杆係止部６ｂとが外れる方向、すなわちリング綴具２の第２綴杆３ｂをリング綴具オープナー３１０の第２突出部３４０で手前側に向けて引っ張ることにより、係止された第１綴杆３ａの第１綴杆係止部６ａと第２綴杆３ｂの第２綴杆係止部６ｂとを外すことができるように構成されている。
【００８５】
このリング綴具オープナー１０によって、リング綴具２の綴杆部３を開閉することについて、主として図３１ないし３３に基づいて説明する。
（１）リング綴具２の連結部４を下方にして、軸支持部１２に載置する。
そのとき、リング綴具オープナー１０の第１突出部３３０を隣接する第２綴杆３ｂの間に位置させ、リング綴具オープナー１０の第２突出部３４０を隣接する第１綴杆３ａの間に位置させる。（図３３（１）参照）。
（２）そして、手の一つの指を第１の基板３１６及び第２の基板３１８の指係止孔３６８に差し入れ、指係止凹部３６８ａに当接させる。
更に、手の他の指を第２の基板３１８の指引っ掛け凹部３６９に当接して、一の指と他の指とで、指係止凹部３６８ａと指引っ掛け凹部３６９とを挟む。
（３）そして、一の指と他の指との間を縮めることにより、第２の基板３１８の指引っ掛け凹部３６９を向こう側に向けて、押し上げる。
（４）第２突出部３４０は、傾斜部３４４が第１綴杆３ａの手前側面に接合して、第１綴杆３ａを向こう側に押すことにより、傾斜部３４４の勾配によって、徐々に第１綴杆３ａを連結部４の長手方向に移動させる。
一方、第１突出部３３０は、傾斜部３３４側にある第２綴杆３ｂの向こう側に当接して、第２綴杆３ｂの向こう側への移動を抑止する。（図３３（２）参照）。
（５）第１綴杆３ａの第１綴杆係止部６ａと第２綴杆３ｂの第２綴杆係止部６ｂとの係合が係脱した後に、第１綴杆３ａと第２綴杆３ｂとは、弾圧部材７の作用により、リーフ（用紙）を綴じるに適する間隔に開いて、停止する（図３３（３）〜（６）参照）。
【００８６】
突出部３１４の斜面３２０は、第１突出部３３０と第２突出部３４０とにおいて逆向きに傾斜している。
第１突出部３３０は、第１綴杆３ａに接合して移動しない。
一方、第２突出部３４０は、傾斜部３４４が第２綴杆３ｂに接合して第２綴杆３ｂを手前側に押すことにより、傾斜部３４４の勾配により徐々に第２綴杆係止部３ｂを連結部４の長手方向に移動させ、第１綴杆係止部６ａと第２綴杆係止部６ｂとの係合が係脱した後に、第２綴杆３ｂを外方（リング綴具オープナー３１０及びリング綴具２の幅方向）に向けて回転させて綴杆部３を開ける。
【００８７】
前記図１５図示実施の形態は、停止手段を、変更してもよい。
停止手段３８０及び３９０の係合部３８０ａ及び３９０ａは、前記実施の形態の形状に限らない。係合部３８０ａ及び３９０ａを構成する係合凸部３８４及び係合凹部３９４は、前記実施の形態の形状に限らない。
例えば、係合凹部３９４は、窪み穴でもよく、貫通した孔でもよい。
次に、変形例たる停止手段について、図３５及び３６に基づいて、説明する。
第１の基板４１６は、スライド移動した第２の基板４１８を移動した位置で停止させるための停止手段４８０を備える。
第２の基板４１８は、スライド移動した第２の基板４１８を移動した位置で停止させるための停止手段４９０を備える。停止手段４８０は、第１の基板４１６のベース部の主面と第２の基板４１８のベース部の主面とが対向する領域に、形成されている。
【００８８】
停止手段４８０及び停止手段４９０は、突出部４１４が、リング綴具２の第１綴杆３ａ及び第２綴杆３ｂの開状態を維持されるように形成されている。
第２の基板４１８は、その表面に形成された第２突出部４４０が第２綴杆３ｂと係合して、第１綴杆３ａ及び第２綴杆３ｂの開状態を維持するように、停止手段４８０及び停止手段４９０によって停止させられる。停止手段４９０は、第１の基板４１６のベース部の主面と第２の基板４１８のベース部の主面とが対向する領域に、形成されている。
【００８９】
第１の基板４１６は、綴杆部３を開くときに手前側に向いて移動する第２の基板４１８の移動方向とは交差する方向に向いて突出された、停止手段４８０を構成する係合部４８０ａを備える。
係合部４８０ａは、第２の基板４１８が取り付けられるベース部であって、第２の基板４１８と対向する領域に形成されている。
係合部４８０ａは、第１の基板４１６との接続点を中心に幅方向すなわち第２の基板４１８のスライド移動方向と交差する方向に撓む弾力性を有し、第２の基板４１８の停止手段４９０と係合したり係脱したりするように構成されている。
【００９０】
係合部４８０ａは、その中間部４８２に、係合凸部４８４を横向きに突設されている。
係合部４８０ａは、第１の基板４１６と一方の接続点とその他の他方の接続点との間において、係合凸部４８４が横上向きに突設されている。
【００９１】
係合部４８０ａは、第２の基板４１８のスライド移動方向にのびる、長手方向を有する突出片であり、第１の基板４１６の水平面４５０ｂを有するベース部分に穿設された細長い間隙によって弾力性を付与されている。
係合部４８０ａは、第１の基板４１６に接続された一方の根本部４８８と、一方の根本部４８８と前後に分かれた他方の根本部４８８との中間に形成された中間部４８２とを備える。すなわち、第１の基板４１６の向こう側に形成された根本部４８８と手前側に形成された根本部４８８との間に、中間部４８２がある。
根本部４８８は、第１の基板４１６の水平面４５０ｂを有するベース部分からのびた帯状体である。
中間部４８２及び根本部４８８は、第１の基板４１６の幅方向において左右に分かれて一対形成されており、その間に第２の基板４１８の停止手段４９０が嵌入する空間が形成されている。
【００９２】
左右に分かれた根本部４８８と根本部４８８とは、平行に形成されており、第２の基板４１８を長手方向にスライドするときの案内手段を構成する。
【００９３】
係合部４８０ａは、第１の基板４１６のベース部分に続いて、第１の基板４１６及び第２の基板４１８の長手方向にのびている。根本部４８８は、第1突出部４３０及び段差部４５０の並列方向と平行に形成されている。
係合部４８０ａは、第１の基板４１６のベース部の主面及び第２の基板４１８のベース部の主面の広がる方向すなわち第１の基板４１６及び第２の基板４１８の幅方向に動く。
【００９４】
第２の基板４１８の停止手段４９０は、第２の基板４１８の裏面側に停止手段４８０の係合凸部４８４と係合するための係合部４９０ａを構成する係合凹部４９４を幅方向に向けて穿設されている。
係合部４９０ａは、第１の基板４１６に取り付けられるベース部であって第１の基板４１６と対向する領域に形成されている。
第２の基板４１８の停止手段４９０は、係合凸部４８４と係合して、停止するための膨出部を有する膨大頭部４９６を有している。
【００９５】
停止手段４９０は、その中央においてくびれた係合凹部４９４を有し、その先端は亀の頭状の膨大頭部４９６を有し、その後端は、前記停止手段４９０の根本部４８８と指し合って第２の基板４１８のスライド移動をするときの案内部を構成する胴部４９８を有している。
係合部４９０ａは、第１の基板４１６のベース部の主面及び第２の基板４１８のベース部の主面の広がる方向すなわち第１の基板４１６及び第２の基板４１８の幅方向に動く。
【００９６】
第１の基板４１６と第２の基板４１８とを相対移動する前（すなわち、第１突出部４３０と第２突出部４４０とが同じ位置で並列している状態）は、停止手段４８０の係合凸部４８４が、停止手段４９０の係合凹部４９４と係合している。
第２の基板４１８をスライド移動したとき、停止手段４９０の係合凹部４９４が停止手段４８０の係合凸部４８４の手前側の傾斜壁面を乗り越えて係合凸部４８４が係合凹部４９４に嵌まり込み、第２の基板４１８は、リング綴具２の綴杆部３を開いた状態で停止する。
而して、第１突出部４３０と第２突出部４４０とは、第１の基板４１６及び第２の基板４１８の長手方向における位置がずれた位置で停止し、リングノート１のリング綴具２は、開いた状態を維持する。
停止していた第２の基板４１８は、手前側に引き戻すと、元の位置、すなわち、第１突出部４３０と第２突出部４４０とが並列する位置に戻る。
【符号の説明】
【００９７】
１  リングノート
２  リング綴具
３  綴杆部
３ａ  第１綴杆
３ｂ  第２綴杆
４  連結部
４ａ  第１連結部
４ｂ  第２連結部
５  軸部
５ａ  第１軸部
５ｂ  第２軸部
６  綴杆係止部
６ａ  第１綴杆係止部
６ｂ  第２綴杆係止部
７  弾圧部材
８ａ、８ｂ  変位体
１０、１１０、３１０  リング綴具オープナー
１２、１１２、３１２  軸支持部
１４、１１４、３１４、４１４  突出部
１６、１１６、３１６、４１６  第１の基板
１８、１１８、３１８、４１８  第２の基板
２０、３２０  斜面
３０、１３０、３３０、４３０  第１突出部
３２、１３２、３３２  基部
３４、３３４  傾斜部
４０、１４０、３４０、４４０  第２突出部
４２、３４２  基部
４４、３４４  傾斜部
５０、１５０、３５０、４５０  段差部
５０ａ、１５０ａ、３５０ａ  垂直壁
５０ｂ、１５０ｂ、３５０ｂ  水平面
５２、３５２  スライド孔
５６  保持壁
６０、１６０、３６０  摺動部
６２、１６２、３６２  取付突起
６２ａ、６２ｂ、１６２ａ、１６２ｂ、３６２ａ、３６２ｂ  弾力脚
６６  保持壁
６８、３６８  指係止孔
７０、１７０、３７０  コイルバネ
１５２  解離穴
１５４  開放穴
３３６、３４６  頭部
３５０ｃ  間隙部
３５４  案内凸条
３５４ａ  第１案内凸条
３５４ｂ  第２案内凸条
３５４ｃ  第３案内凸条
３６４  案内凸条
３６４ａ  第１案内凸条
３６４ｂ  第２案内凸条
３６８ａ  指係止凹部
３６９  指引っ掛け凹部
３７２  バネ移動支持部
３７４  バネ固定部
３８０、４８０  停止手段
３８０ａ、４８０ａ  係合部
３８２  自由端部
３８４、４８４  係合凸部
３８６  押釦
３８８、４８８  根本部
３９０、４９０  停止手段
３９０ａ、４９０ａ  係合部
３９４、４９４  係合凹部
３９６  開口部
４８２  中間部
４９６  膨大頭部
４９８  胴部
【図１】
0005987032.tif 000002
【図２Ａ】
0005987032.tif 000003
【図２Ｂ】
0005987032.tif 000004
【図３】
0005987032.tif 000005
【図４】
0005987032.tif 000006
【図５】
0005987032.tif 000007
【図６】
0005987032.tif 000008
【図７】
0005987032.tif 000009
【図８】
0005987032.tif 000010
【図９Ａ】
0005987032.tif 000011
【図９Ｂ】
0005987032.tif 000012
【図９Ｃ】
0005987032.tif 000013
【図９Ｄ】
0005987032.tif 000014
【図１０Ａ】
0005987032.tif 000015
【図１０Ｂ】
0005987032.tif 000016
【図１０Ｃ】
0005987032.tif 000017
【図１０Ｄ】
0005987032.tif 000018
【図１０Ｅ】
0005987032.tif 000019
【図１１Ａ】
0005987032.tif 000020
【図１１Ｂ】
0005987032.tif 000021
【図１１Ｃ】
0005987032.tif 000022
【図１１Ｄ】
0005987032.tif 000023
【図１１Ｅ】
0005987032.tif 000024
【図１１Ｆ】
0005987032.tif 000025
【図１１Ｇ】
0005987032.tif 000026
【図１２Ａ】
0005987032.tif 000027
【図１２Ｂ】
0005987032.tif 000028
【図１２Ｃ】
0005987032.tif 000029
【図１３】
0005987032.tif 000030
【図１４】
0005987032.tif 000031
【図１５】
0005987032.tif 000032
【図１６】
0005987032.tif 000033
【図１７】
0005987032.tif 000034
【図１８】
0005987032.tif 000035
【図１９】
0005987032.tif 000036
【図２０】
0005987032.tif 000037
【図２１】
0005987032.tif 000038
【図２２】
0005987032.tif 000039
【図２３】
0005987032.tif 000040
【図２４】
0005987032.tif 000041
【図２５】
0005987032.tif 000042
【図２６】
0005987032.tif 000043
【図２７】
0005987032.tif 000044
【図２８】
0005987032.tif 000045
【図２９】
0005987032.tif 000046
【図３０】
0005987032.tif 000047
【図３１】
0005987032.tif 000048
【図３２】
0005987032.tif 000049
【図３３】
0005987032.tif 000050
【図３４】
0005987032.tif 000051
【図３５】
0005987032.tif 000052
【図３６】
0005987032.tif 000053
【図３７】
0005987032.tif 000054
【図３８】
0005987032.tif 000055
【図３９】
0005987032.tif 000056